(57)【要約】【課題】箱体に収納した進相用コンデンサの保守点検、交換作業を容易とする金属閉鎖形スイッチギヤを提供する。【解決手段】箱体１と、箱体１の床面を移動自在に移動する引出形台車３と、引出形台車３に載置、固定された進相用コンデンサ４ａ、４ｂ、４ｃと、引出形台車３の先端に設けられたツメ部５と箱体１の背面側に設けられた差込部６とを有する係止手段と、箱体１の正面側に設けられるとともに、引出形台車３の移動を阻止するストッパー７と、を備えたことを特徴とする。【選択図】  図１
2015100189.tif 000002
【特許請求の範囲】
【請求項１】
箱体と、
前記箱体の床面を移動自在に移動する引出形台車と、
前記引出形台車に載置、固定された進相用コンデンサと、
前記引出形台車の先端に設けられたツメ部と前記箱体の背面側に設けられた差込部とを有する係止手段と、
前記箱体１の正面側に設けられるとともに、前記引出形台車３の移動を阻止するストッパー７と、
を備えたことを特徴とする金属閉鎖形スイッチギヤ。
【請求項２】
前記進相用コンデンサの側面に圧力上昇時に動作する保護接点を設け、
前記箱体に制御端子箱を設け、
前記保護接点と前記制御端子箱間を接続する制御線を、前記箱体の正面側に設けた着脱自在のコネクタで接続したことを特徴とする請求項１に記載の金属閉鎖形スイッチギヤ。
【請求項３】
前記引出形台車に複数種類の進相用コンデンサを固定する固定手段を設けたことを特徴とする請求項１または請求項２に記載の金属閉鎖形スイッチギヤ。
【請求項４】
前記引出形台車に直列リアクトルを載置、固定したことを特徴とする請求項１乃至請求項３のいずれか１項に記載の金属閉鎖形スイッチギヤ。
【請求項５】
前記引出形台車の車輪を、折りたたみ車輪としたことを特徴とする請求項１乃至請求項４のいずれか１項に記載の金属閉鎖形スイッチギヤ。
【発明の詳細な説明】
【技術分野】
【０００１】
本発明の実施形態は、進相用コンデンサなどの力率改善部材を収納する金属閉鎖形スイッチギヤに関する。
【背景技術】
【０００２】
従来、３ｋV以上の高電圧の進相用コンデンサは、比較的に重量物となるため、複数個が箱体の床面に設置され、チャンネルベースにボルトで固定されることが知られている（例えば、特許文献１参照）。
【０００３】
このような進相用コンデンサの保守点検では、所定項目の点検が行われ、必要なものは交換が行われる。メーカによっては、交換推奨期間が１０年のものがある。交換においては、床面からボルトを取外し、当該品の搬出、新品の搬入、取付け固定を行うものの、重量物であるので、困難な交換作業となっていた。箱体の奥側に設置されているものでは、手前側のものを回避しながらの交換作業となるので更に困難となっていた。
【先行技術文献】
【特許文献】
【０００４】
【特許文献１】特開２００５−１１０４４７号公報
【発明の概要】
【発明が解決しようとする課題】
【０００５】
本発明が解決しようとする課題は、進相用コンデンサなどの力率改善部材を収納した箱体において、交換が必要となったものの交換作業を容易とすることの可能な金属閉鎖形スイッチギヤを提供することにある。
【課題を解決するための手段】
【０００６】
上記課題を解決するために、実施形態の金属閉鎖形スイッチギヤは、箱体と、前記箱体の床面を移動自在に移動する引出形台車と、前記引出形台車に載置、固定された進相用コンデンサと、前記引出形台車の先端に設けられたツメ部と前記箱体の背面側に設けられた差込部とを有する係止手段と、前記箱体１の正面側に設けられるとともに、前記引出形台車３の移動を阻止するストッパー７と、を備えたことを特徴とする。
【図面の簡単な説明】
【０００７】
【図１】本発明の実施例１に係る金属閉鎖形スイッチギヤの構成を示す側面図。
【図２】本発明の実施例１に係る進相用コンデンサの交換作業を説明する図。
【図３】本発明の実施例２に係る金属閉鎖形スイッチギヤの構成を示す側面図。
【図４】本発明の実施例３に係る金属閉鎖形スイッチギヤの構成を示す側面図。
【図５】本発明の実施例４に係る金属閉鎖形スイッチギヤの構成を示す側面図。
【発明を実施するための形態】
【０００８】
以下、図面を参照して本発明の実施例を説明する。
【実施例１】
【０００９】
先ず、本発明の実施例１に係る金属閉鎖形スイッチギヤを図１、図２を参照して説明する。図１は、本発明の実施例１に係る金属閉鎖形スイッチギヤの構成を示す側面図、図２は、本発明の実施例１に係る進相用コンデンサの交換作業を説明する図である。
【００１０】
図１に示すように、箱体１には、回転自在の車輪２を有する引出形台車３が収納されるようになっている。引出形台車３には、複数個の進相用コンデンサ４ａ、４ｂ、４ｃが載置、固定されている。引出形台車３の先端には、ツメ部５を設け、箱体１の背面側に設けた差込部６に差し込まれるようになっている。正面側の床面には、引出形台車３の移動を阻止するＬ字状のストッパー７がボルト８で固定されている。
【００１１】
進相用コンデンサ４ａ、４ｂ、４ｃには、側面に圧力上昇、温度上昇時に動作する保護接点９ａ、９ｂ、９ｃが設けられている。保護接点９ａ、９ｂ、９ｃと箱体１に固定された制御端子箱１０間には、正面側に、制御線相互を着脱自在に接続するコネクタ１１ａ、１１ｂ、１１ｃが設けられている。箱体１は、Ｈ形鋼のチャンネルベース１２に載置、固定されている。正面側には、開閉自在の正面扉１３が設けられている。
【００１２】
次に、進相用コンデンサ４ａ、４ｂ、４ｃの交換作業を図２を参照して説明する。
【００１３】
正面扉１３を解放後、チャンネルベース１２の高さに相当する引出架台１４を正面側に設け、コネクタ１１ａ、１１ｂ、１１ｃを外し、ストッパー７を取外す。そして、引出形台車３を引出し、当該進相用コンデンサ４ａ、４ｂ、４ｃの交換を行う。なお、チャンネルベース１２を設けないものにおいては、引出架台１４は不要である。また、高電圧側端子は、上方からの接続作業であり、交換作業に大きな支障はないものである。
【００１４】
これにより、ストッパー７の取外し、進相用コンデンサ４ａ、４ｂ、４ｃの取外し、取付けなどが箱体１外で行うことができ、交換作業を容易とすることができる。また、保護接点９ａ、９ｂ、９ｃを設けたものにおいても、制御線を正面側に設けたコネクタ１１ａ、１１ｂ、１１ｃで切離すので、制御線全体の取外しなどが不要であり、制御線の接続作業も容易である。
【００１５】
ツメ部５は、比較的に小さい操作力で差込部６から引抜くことができ、また、差し込むときも同様に、比較的に小さい操作力で差し込むことができるものであり、引出形台車３のずれを直すガイドも兼ねている。即ち、ツメ部５と差込部６は、引出形台車３が床面の所定の位置に停止するようにガイドし、その位置に係止する係止手段となる。
【００１６】
なお、引出形台車３とストッパー７の間にばね材、ゴム材のような弾性部材を挿入し、引出形台車３を奥行き方向に常時、押圧しておけば、耐震性能が向上し、引出形台車３を確実に固定することができる。
【００１７】
上記実施例１の金属閉鎖形スイッチギヤによれば、進相用コンデンサ４ａ、４ｂ、４ｃを移動自在の引出形台車３に載置、固定しているので、引出形台車３を箱体１から引出すことによって進相用コンデンサ４ａ、４ｂ、４ｃの取外し、取付けを行うことができ、保守点検とともに、交換作業を容易とすることができる。また、引出形台車３は、ツメ部５と差込部６による係止手段により、所定の位置に停止させることができるとともに、ストッパー７により、箱体１の奥行き方向や幅方向の移動を不可とし、確実に固定することができる。
【実施例２】
【００１８】
次に、本発明の実施例２に係る金属閉鎖形スイッチギヤを図３を参照して説明する。図３は、本発明の実施例２に係る金属閉鎖形スイッチギヤの構成を示す側面図である。なお、この実施例２が実施例１と異なる点は、進相用コンデンサの容量である。図３において、実施例１と同様の構成部分においては、同一符号を付し、その詳細な説明を省略する。
【００１９】
図３に示すように、引出形台車３には、大容量の進相用コンデンサ４ｄを、実施例１の進相用コンデンサ４ａとともに、載置、固定している。即ち、引出形台車３の取付け、固定部分に、複数種類の進相用コンデンサ４ａ、４ｄを固定することのできる固定手段（ボルトが螺合するねじ穴）を設けている。なお、保護接点９ａ、コネクタ１１ｄも、大容量用となる。
【００２０】
上記実施例２の金属閉鎖形スイッチギヤによれば、実施例１による効果のほかに、引出形台車３を共用化することができる。
【実施例３】
【００２１】
次に、本発明の実施例３に係る金属閉鎖形スイッチギヤを図４を参照して説明する。図４は、本発明の実施例３に係る金属閉鎖形スイッチギヤの構成を示す側面図である。なお、この実施例３が実施例１と異なる点は、引出形台車に直列リアクトルも載置したことである。図４において、実施例１と同様の構成部分においては、同一符号を付し、その詳細な説明を省略する。
【００２２】
図４に示すように、引出形台車３には、直列リアクトル１５を進相用コンデンサ４ａとともに載置、固定している。
【００２３】
上記実施例３の金属閉鎖形スイッチギヤによれば、実施例１による効果のほかに、直列リアクトル１５の点検保守を容易とすることができる。
【実施例４】
【００２４】
次に、本発明の実施例４に係る金属閉鎖形スイッチギヤを図５を参照して説明する。図５は、本発明の実施例４に係る金属閉鎖形スイッチギヤの構成を示す側面図である。なお、この実施例４が実施例１と異なる点は、引出形台車に折りたたみ車輪を設けたことである。図５において、実施例１と同様の構成部分においては、同一符号を付し、その詳細な説明を省略する。
【００２５】
図５に示すように、引出形台車３には、折りたたみ車輪１６ａ、１６ｂを設けている。箱体１外では、折りたたみ車輪１６ａが伸び、箱体１内では、折りたたみ車輪１６ｂが折りたたまれるようになっている。伸びた折りたたみ車輪１６ａの高さは、チャンネルベース１２の高さに相当する。
【００２６】
上記実施例４の金属閉鎖形スイッチギヤによれば、実施例１による効果のほかに、引出形台車３を引出すときに、実施例１のような引出架台が不要となる。
【００２７】
以上述べたような実施形態によれば、力率改善用の部材を引出形台車に載置、固定しているので、保守点検、交換作業などを容易とすることができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、および変更を行うことができる。これら実施形態やその変形は、発明の範囲や要旨に含まれるとともに、特許請求の範囲に記載された発明とその均等の範囲に含まれる。
【符号の説明】
【００２９】
１  箱体
３  引出形台車
４ａ、４ｂ、４ｃ、４ｄ  進相用コンデンサ
５  ツメ部
６  差込部
７  ストッパー
９ａ、９ｂ、９ｃ、９ｄ  保護接点
１０  制御端子箱
１１ａ、１１ｂ、１１ｃ、１１ｄ  コネクタ
１２  チャンネルベース
１５  直列リアクトル
１６ａ、１６ｂ  折りたたみ車輪
【図１】
2015100189.tif 000003
【図２】
2015100189.tif 000004
【図３】
2015100189.tif 000005
【図４】
2015100189.tif 000006
【図５】
2015100189.tif 000007